(57)【特許請求の範囲】
【請求項１】
放送番組の受信及び記録装置と無線により接続された状態でのみ稼動するバッテリを内蔵した表示部と、電源回路を内蔵したスタンド部とからなるワイヤレスネットワーク端末であって、前記表示部は、前記バッテリへの充電及び表示部全体への給電を行う第１の充電給電用装置を備え、前記スタンド部は、前記表示部への充電及び給電を行う第２の充電給電用装置を備え、前記表示部を前記スタンド部に装着することにより、前記第１及び第２の充電給電用装置が接触し、前記電源回路から前記第１及び第２の充電給電用装置を介して前記表示部への充電及び給電を行うようにし、前記表示部が、前記放送番組の受信及び記録装置と無線による接続が確立できない場合、前記表示部が、前記スタンド部に装着されている状態であれば、電源をオフすることなく、そのまま電力供給を続け、前記表示部が、前記スタンド部に装着されていない場合のみ、所定の無操作時間が検出されたら、前記バッテリから前記表示部全体への供給ライン上の電源スイッチをオフにして、バッテリの消耗を低減する手段を備えたことを特徴とするワイヤレスネットワーク端末。
【請求項２】
放送番組の受信及び記録装置と無線により接続されて、映像、音声、データファイルの通信を行なっている状態でのみ稼動するバッテリを内蔵した表示部と、電源回路を内蔵したスタンド部とからなるワイヤレスネットワーク端末であって、前記表示部は、前記バッテリへの充電及び表示部全体への給電を行う第１の充電給電用装置を備え、前記スタンド部は、前記表示部への充電及び給電を行う第２の充電給電用装置を備え、前記表示部を前記スタンド部に装着することにより、前記第１及び第２の充電給電用装置が接触し、前記電源回路から前記第１及び第２の充電給電用装置を介して前記表示部への充電及び給電を行うようにし、前記表示部が、前記放送番組の受信及び記録装置と無線による接続が確立できない場合、前記表示部が、前記スタンド部に装着されている状態であれば、電源をオフすることなく、そのまま電力供給を続け、前記表示部が、前記スタンド部に装着されていない場合のみ、所定の無操作時間が検出されたら、前記バッテリから前記表示部全体への供給ライン上の電源スイッチをオフにして、バッテリの消耗を低減する手段を備えたことを特徴とするワイヤレスネットワーク端末。
【請求項３】
前記第１及び第２の充電給電用装置は、接続端子を介して接触されることを特徴とする請求項１又は２記載のワイヤレスネットワーク端末。
【請求項４】
前記表示部を前記スタンド部に装着し、前記表示部の自重が前記スタンド部に加わることによりスタンド部全体の電源がオンし、前記表示部を前記スタンド部より取外し、前記表示部の自重が前記スタンド部に加わらないようにすることにより、前記スタンド部全体の電源がオフする電源ＯＮ／ＯＦＦ手段を備えたことを特徴とする請求項１、２又は３記載のワイヤレスネットワーク端末。
【請求項５】
前記表示部と前記スタンド部の間の通信を、前記放送番組の受信及び記録装置と前記表示部間の無線通信と同等以上に高速な赤外線通信手段を用いて行い、前記表示部から前記スタンド部へのデータの伝送待ちを生じさせないことで、伝送待ちデータを保持する前記表示部のメモリ容量を低減できるようにしたことを特徴とする請求項１乃至４のいずれか一項に記載のワイヤレスネットワーク端末。
【請求項６】
前記スタンド部は、通常、スタンドアローンで使用するデジタルＡＶＣ機器を接続するハブ機能を有し、前記表示部が前記スタンド部に装着された状態で、前記スタンド部に接続したデジタルＡＶＣ機器を、前記放送番組の受信及び記録装置を含む家庭内ＡＶＣネットワークと接続し、データを送受信する通信手段を備えたことを特徴とする請求項１乃至５のいずれか一項に記載のワイヤレスネットワーク端末。
【請求項７】
前記スタンド部は、パーソナルコンピュータ装置本体を接続する機能を有し、前記パーソナルコンピュータ装置本体からのモニター信号を第２の映像信号及び第２の音声信号とに変換する信号処理部を備え、前記表示部は、前記放送番組の受信及び記録装置から無線で送られてきた第１の映像信号及び第１の音声信号、又は前記第２の映像信号及び第２音声信号のどちらか一方を選択する入力選択スイッチ部と、前記表示部が前記スタンド部に装着されていない場合には前記第１の映像信号及び第１の音声信号を選択し、前記表示部が前記スタンド部に装着されている場合には前記第２の映像信号及び第２の音声信号を選択するように前記入力選択スイッチ部を制御する入力選択制御部とを備えたことを特徴とする請求項１乃至６のいずれか一項に記載のワイヤレスネットワーク端末。
【請求項８】
前記表示部は、強制的に前記第１の映像信号及び第１の音声信号を選択するための強制選択スイッチ部を備え、この強制選択スイッチ部をオンした場合には、前記入力選択制御部は、前記表示部が前記スタンド部に装着されている／いないに関わらず、強制的に前記第１の映像信号及び第１の音声信号を選択するように前記入力スイッチ部を制御することを特徴とする請求項７記載のワイヤレスネットワーク端末。
【発明の詳細な説明】
【０００１】
【発明の属する技術分野】
本発明は、家庭内で利用されるコンテンツ（映像、音声、データファイル）の伝送を無線で行うワイヤレスホームネットワークシステムに繋がる映像信号、音声信号の表示・再生手段を備える端末に関するものである。
【０００２】
【従来の技術】
現在の液晶ＴＶは、ＣＲＴを用いたＴＶに比べて可搬性が高いが、ワイヤレスネットワーク化されていないため、実使用時に、電源ケーブルの接続や、信号入力用ケーブルの接続を行わなければならない。
【０００３】
携帯端末の中には、接触端子を用いた通信機能を有するものがあるが、非通信時に接触端子を保護するためにカバーや、シャッターが設けられており、通信の度に、カバーの取付け／取外しや、シャッターの開閉を行う手間が生じる。
【０００４】
また、電源回路を内蔵する機器では、本体の主電源スイッチをオフにすることで、機器の消費電力をゼロに出来るが、一般的な液晶ＴＶは、電源回路を内蔵せずに、外部に接続するＡＣアダプタを採用しており、非使用時であっても、ＡＣアダプタ内で電力を消費しているため、消費電力をゼロにするためには、電力配線のコンセントに接続した電源プラグを抜かなければならない。
【０００５】
さらに、一般的な無線通信方式においては、用途別に使用が認可されている周波数帯域を、扱うデータの量に応じて、適当に分割して、通信チャンネルを作成している。そして、同じチャンネルを使って、同時に通信を行うと、干渉が生じて、データが破壊され、再送信が必要になることから、通信を行おうとする機器は、まず、自機器が通信を開始する前に、空きチャンネルを検出し、通信を行うこととしているが、空きチャンネルが無ければ、通信が行えないため、チャンネルが空くまで、無駄に電力を消費することになる。
【０００６】
【発明が解決しようとする課題】
上記のような機器において、家庭内の何処にでも、簡便に持ち運べる小型、軽量サイズ化を実現しても、機器を持ち運ぶ際に、通信／電源ケーブルの接続、取外しなどの手間が必要である上、機器の移転先の電源コンセントや信号ケーブルの有無、位置に配慮しなければならず、気軽に持ち運んで使用するには不向きである。
また、使用者が意識することなく、不使用時の機器、ＡＣアダプタの消費電力をゼロにすることが困難である。
【０００７】
本発明は、上記問題点を解決するためになされたもので、表示部を、家庭内の何処にでも簡便に持ち運んで、映像信号、音声信号の表示、再生を行える特徴を有しながら、周辺機器等のオプションを、家庭内ＡＶＣネットワークに接続して活用できる拡張性を兼ね備え、表示部を取り外している際、スタンド部の消費電力を自動的にゼロにすると共に、スタンド部から取り外した表示部が、家庭内ネットワークとの無線接続を確立できない場合に、表示ユニット部の電源をオフにして、バッテリの消耗を抑える省エネ手段を備えたワイヤレスネットワーク端末を実現することを目的とする。
【０００８】
【課題を解決するための手段】
上記課題を解決するために、本発明は、放送番組の受信及び記録装置と無線により接続された状態でのみ稼動するバッテリを内蔵した表示部と、電源回路を内蔵したスタンド部とからなるワイヤレスネットワーク端末であって、前記表示部は、前記バッテリへの充電及び表示部全体への給電を行う第１の充電給電用装置を備え、前記スタンド部は、前記表示部への充電及び給電を行う第２の充電給電用装置を備え、前記表示部を前記スタンド部に装着することにより、前記第１及び第２の充電給電用装置が接触し、前記電源回路から前記第１及び第２の充電給電用装置を介して前記表示部への充電及び給電を行うようにし、前記表示部が、前記放送番組の受信及び記録装置と無線による接続が確立できない場合、前記表示部が、前記スタンド部に装着されている状態であれば、電源をオフすることなく、そのまま電力供給を続け、前記表示部が、前記スタンド部に装着されていない場合のみ、所定の無操作時間が検出されたら、前記バッテリから前記表示部全体への供給ライン上の電源スイッチをオフにして、バッテリの消耗を低減する手段を備えたものである。
また、本発明は、放送番組の受信及び記録装置と無線により接続されて、映像、音声、データファイルの通信を行なっている状態でのみ稼動するバッテリを内蔵した表示部と、電源回路を内蔵したスタンド部とからなるワイヤレスネットワーク端末であって、前記表示部は、前記バッテリへの充電及び表示部全体への給電を行う第１の充電給電用装置を備え、前記スタンド部は、前記表示部への充電及び給電を行う第２の充電給電用装置を備え、前記表示部を前記スタンド部に装着することにより、前記第１及び第２の充電給電用装置が接触し、前記電源回路から前記第１及び第２の充電給電用装置を介して前記表示部への充電及び給電を行うようにし、前記表示部が、前記放送番組の受信及び記録装置と無線による接続が確立できない場合、前記表示部が、前記スタンド部に装着されている状態であれば、電源をオフすることなく、そのまま電力供給を続け、前記表示部が、前記スタンド部に装着されていない場合のみ、所定の無操作時間が検出されたら、前記バッテリから前記表示部全体への供給ライン上の電源スイッチをオフにして、バッテリの消耗を低減する手段を備えたものである。
【０００９】
さらに、本発明は、前記ワイヤレスネットワーク端末において、前記第１及び第２の充電給電用装置は、接続端子を介して接触されるようにしたものである。
【００１０】
さらに、本発明は、前記ワイヤレスネットワーク端末において、前記表示部を前記スタンド部に装着し、前記表示部の自重が前記スタンド部に加わることによりスタンド部全体の電源がオンし、前記表示部を前記スタンド部より取外し、前記表示部の自重が前記スタンド部に加わらないようにすることにより、前記スタンド部全体の電源がオフする電源ＯＮ／ＯＦＦ手段を備えたものである。
【００１２】
さらに、本発明は、前記ワイヤレスネットワーク端末において、前記表示部と前記スタンド部の間の通信を、前記放送番組の受信及び記録装置と前記表示部間の無線通信と同等以上に高速な赤外線通信手段を用いて行い、前記表示部から前記スタンド部へのデータの伝送待ちを生じさせないことで、伝送待ちデータを保持する前記表示部のメモリ容量を低減できるようにしたものである。
【００１３】
さらに、本発明は、前記ワイヤレスネットワーク端末において、前記スタンド部は、通常、スタンドアローンで使用するデジタルＡＶＣ機器を接続するハブ機能を有し、前記表示部が前記スタンド部に装着された状態で、前記スタンド部に接続したデジタルＡＶＣ機器を、前記放送番組の受信及び記録装置を含む家庭内ＡＶＣネットワークと接続し、データを送受信する通信手段を備えたものである。
【００１４】
さらに、本発明は、前記ワイヤレスネットワーク端末において、前記スタンド部は、パーソナルコンピュータ装置本体を接続する機能を有し、前記パーソナルコンピュータ装置本体からのモニター信号を第２の映像信号及び第２の音声信号とに変換する信号処理部を備え、前記表示部は、前記放送番組の受信及び記録装置から無線で送られてきた第１の映像信号及び第１の音声信号又は、前記第２の映像信号及び第２音声信号のどちらか一方を選択する入力選択スイッチ部と、前記表示部が前記スタンド部に装着されていない場合には前記第１の映像信号及び第１の音声信号を選択し、前記表示部が前記スタンド部に装着されている場合には前記第２の映像信号及び第２の音声信号を選択するように前記入力選択スイッチ部を制御する入力選択制御部とを備えたものである。
【００１５】
さらに、本発明は、前記表示部は、強制的に前記第１の映像信号及び第１の音声信号を選択するための強制選択スイッチ部を備え、この強制選択スイッチ部をオンした場合に、前記入力選択制御部は、前記表示部が前記スタンド部に装着されている／いないに関わらず、強制的に前記第１の映像信号及び第１の音声信号を選択するように前記入力スイッチ部を制御するようにしたものである。
【００１６】
【発明の実施の形態】
図１は、本発明に係るワイヤレスネットワーク端末のシステム全体の構成を示すブロック図である。
本発明に係るワイヤレスネットワーク端末は、大別して放送番組の受信，及び記録する為のチューナ，ＳＴＢ，ＰＶＲ，ＶＴＲ等の装置（以下、「放送番組受信記録装置」という。）２００と、無線で映像，音声，データファイルの通信を行う無線通信手段５００、映像信号，音声信号の再生出力手段５０１、バッテリ１０３、第１の充電・給電用装置１０４を備える表示部１００と、電源回路３０１と第２の充電・給電用装置３０４を備えるスタンド部３００からなる。
表示部１００は、スタンド部３００に設けた凹部内に、装脱着可能になっている。
【００１７】
図２は、表示部をスタンド部に装着した状態の本発明に係るワイヤレスネットワーク端末の外観図で、図２（Ａ）は正面図で、図２（Ｂ）は側面図である。
表示部１００をスタンド部３００に装着した状態で、接触端子１（１１４）と接触端子２（３１２）は、互いに接触し合う位置関係に配置されている。
同様に、第１の高速赤外線通信ユニット１０５と第２の高速赤外線通信ユニット３０５は、互いに対峙し合う位置に配置されている。
また、表示部検出スイッチ３０２は、スタンド部３００に設けた凹部内の表示部１００の自重がかかる位置に設置されている。
図３は、表示部をスタンド部から取り外した状態の本発明に係るワイヤレスネットワーク端末の外観図で、図３（Ａ）は正面図で、図３（Ｂ）は側面図である。
【００１８】
スタンド部３００の電源回路３０１で生成するＤＣ電力を、前記の第１の充電・給電用装置１０４の接触端子１（１１４）と第２の充電・給電用装置３０４の接触端子２（３１２）の接触通電によってスタンド部３００から表示部１００へ供給し、バッテリ１０３への充電を行うか、表示部全体への給電を行うようにした充電・給電手段５０２を備えている。
【００１９】
また、表示部１００のスタンド部３００への装着状態により、電源をＯＮ／ＯＦＦする手段を備えている。電源ＯＮ／ＯＦＦ手段５０３は、表示部検出スイッチ３０２、電源回路制御部３０３、電源スイッチ２（３１１）を備えるスタンド部３００と、検出の対象となる表示部１００とで構成し、表示部検出スイッチ３０２は、スタンド部３００に設けた表示部１００と嵌合する凹部の内面に備えられている。
【００２０】
本発明に係るワイヤレスホームネットワーク端末は、家庭内ネットワークとの無線接続を確立できない場合、かつ、表示部１００をスタンド部３００から取り外してバッテリ駆動している場合に限り、表示部１００のバッテリ１０３の消耗を抑えるため、表示部１００の電源をオフにする手段を備えている。
従って、家庭内ネットワークとの無線接続を確立できない場合であっても、表示部１００をスタンド部３００に装着し、スタンド部３００から供給される電力で駆動している場合は、表示部１００の電源をオフにする手段は作動しない。
そのため、この電源ＯＦＦ手段５０６は、アンテナ部１１１、無線通信ユニット１０２及び無線通信ユニット内の無線通信制御部１１６と、スタンド装着検出部５０７と、電源制御部ともなる充電・給電制御部１１５、及び接触端子１（１１４）、給電回路１０７、及び電源スイッチ１（１１７）、表示部１００の動作を制御する信号制御部１０９、使用者に通信状態を示す信号処理部１１０、及び表示ディスプレイ１０１、使用者が操作する操作パネル部１０６とから構成されている。
【００２１】
また、本発明に係るワイヤレスホームネットワーク端末は、表示部１００をスタンド部３００に装着した状態において、外乱光の影響が少なく光通信の光軸あわせが容易に行えるスタンド部の凹部内面及びその内面に向かい合う表示部表面それぞれに、高速赤外線通信ユニット１０５，３０５を備え、表示部１００をスタンド部３００に装着した際に、両者の間で非接触通信手段５０４を実現するものである。
この高速赤外線通信ユニットは、現在、一般に使われている赤外線通信ＩｒＤＡ１.０用ユニットよりも高速な応答速度を有する発光素子、受光素子を用いることで高速通信が実現できる。例えば、表示部１００の有する無線通信機能の伝送速度が、ＢＳデジタルハイビジョンの信号伝送まで可能な通信能力を有する場合、高速赤外線通信ユニットは、実効伝送速度で、２４Ｍｂｐｓ以上の通信能力を有す。
【００２２】
さらに、本発明に係るワイヤレスホームネットワーク端末は、スタンド部３００に備えられたＡＶＣ機器４１０を接続するための外部インターフェース３０７、信号形式を変換するための信号処理部３０６、前記無線通信手段、前記非接触通信手段を用いて、当該ワイヤレスネットワーク端末が属するワイヤレスネットワークシステムに、スタンド部３００を介した機能拡張手段５０５を実現するものである。
オプション４００となる機器や、ＡＶＣ機器４１０を、スタンド部３００の外部インターフェース３０７に接続したままで、表示部１００を取外し、家庭内の何処にでも簡便に持ち運んで映像信号、音声信号の表示再生が行える。
【００２３】
ここで、図１を参照して、本発明のワイヤレスネットワーク端末に具備されている各機能手段の動作について、順に、説明する。
（無線通信手段）
表示部に伝送する映像、音声信号のリクエストを行う場合、操作パネル部１０６に入力された信号を基に、信号制御部１０９は、コマンド信号を生成し、信号処理部１１０へ送出する。
信号処理部１１０は、受信したコマンド信号を、無線通信手段に適した形式へと変換した上で、無線通信ユニット１０２へ送出する。
無線通信ユニット１０２は、一般的な無線通信手段と同様に、アンテナ部１１１が受信する信号を検知し、無線通信に使用する周波数チャンネルが空いているか否かを確認する。
使用するチャンネルが空いていない場合は、後述の表示部電源ＯＦＦ手段に沿って動作する。使用するチャンネルが空いている場合、コマンド信号に無線伝送を行うための変調をかけた上で、アンテナ部１１１へ送出する。
コマンド信号は、アンテナ部１１１で電気信号から電波信号へと変換され、空中へ放出される。
【００２４】
前記コマンド信号は、放送番組受信記録装置２００のアンテナ部２０２で電気信号に変換されて、放送番組受信記録装置２００が備える無線通信ユニット２０１へ送出される。無線通信ユニット２０１で復調されたコマンド信号は、放送番組受信記録装置２００に送出される。
コマンド信号を受信した放送番組受信記録装置２００は、コマンド信号で指定されたデジタル映像・音声信号を、放送番組受信記録装置２００が備える無線通信ユニット２０１へ送出する。デジタル映像・音声信号を受けた無線通信ユニット２０１は、デジタル映像・音声信号に無線伝送を行うための変調をかけた上で、アンテナ部２０２へ送出する。
前記信号はアンテナ部２０２で電気信号から電波信号へと変換され、空中へ放出される。
前記電波信号は、表示部１００のアンテナ部１１１で電気信号へと変換されて無線通信ユニット１０２へ入力される。無線通信ユニット１０２は入力された前記信号を復調し、元のデジタル映像・音声信号に戻した上で、信号処理部１１０へ送出する。
【００２５】
（映像信号・音声信号の表示・再生手段）
デジタル映像・音声信号を受けた信号処理部１１０は、デジタル映像・音声信号を、映像信号と音声信号に分離し、映像信号を表示ディスプレイ１０１で扱えるデータ形式に変換した上で表示ディスプレイ１０１に、音声信号はスピーカ１１２で扱えるデータ形式に変換した上でスピーカ１１２に送出する。
表示ディスプレイ１０１は信号処理部１１０から送られてきたデータを元に映像を表示する。スピーカ１１２は信号処理部１１０から送られてきたデータを元に再生した音声を出力する。
【００２６】
（充電・給電手段）
表示部１００がスタンド部３００に装着されている時、電源プラグ３１０、電源ライン３１３を介して、電力線から供給されるＡＣ電力を、スタンド部３００の電源回路３０１でＤＣ電力に変換し、スタンド部３００の各構成要素、並びに、第２の充電・給電用装置３０４へ供給する。
第２の充電・給電用装置３０４に供給されたＤＣ電力は、接触端子２（３１２）と接触端子１（１１４）間を接触通電し、表示部１００の第１の充電・給電用装置１０４の充電・給電制御部１１５に供給される。
充電・給電制御部１１５は、信号制御部１０９から、表示部１００が動作時か、非動作時かを判別するデータを受け取り、動作時であれば、給電回路１０７へ電力を供給する。
【００２７】
また、充電・給電制御部１１５は、バッテリ残量計１１３からバッテリ１０３の充電状況を示すデータを受け取り、表示部１００が、非動作時で、バッテリ１０３が満充電になっていない状態であれば、充電回路１０８へ電力を供給する。
一方、充電・給電制御部１１５は、バッテリ１０３が満充電になれば、充電回路１０８への電力供給を停止する。
電力供給を受けた給電回路１０７は、表示部１００全体への給電を行う。
そして、電力供給を受けた充電回路１０８は、バッテリ１０３への給電を行う。
【００２８】
（電源ＯＮ／ＯＦＦ手段）
表示部１００を、スタンド部３００の凹部に、図２に示すように装着した時、スタンド部３００にかかる表示部１００の自重を、表示部検出スイッチ３０２で検知し、表示部検出スイッチ３０２から電源回路制御部３０３に、「表示部有り」の信号を送出する。
「表示部有り」の信号を受けた電源回路制御部３０３は、「表示部有り」の信号をそのまま電源スイッチ２（３１１）に送出する。
「表示部有り」の信号を受けた電源スイッチ２（３１１）は、電源回路３０１に電力供給する電源ラインを接続し、スタンド部３００への電力供給をＯＮにする。
【００２９】
図３に示すように、表示部１００をスタンド部３００から取り外した時は、スタンド部３００に表示部１００の自重が掛からなくなったことを、表示部検出スイッチ３０２で検知し、表示部検出スイッチ３０２から電源回路制御部３０３に、「表示部無し」の信号を送出する。
電源回路制御部３０３は、スタンド部３００で通信が行われていない、又は完了していることを、信号処理部３０６の状態で確認した上で、「表示部無し」の信号を電源スイッチ２（３１１）に送出する。
「表示部無し」の信号を受けた電源スイッチ２（３１１）は、電源回路３０１に電力供給する電源ラインを切断し、スタンド部３００への電力供給をオフにする。
【００３０】
（表示部電源ＯＦＦ手段）
動作の詳細は、後で述べるが、以下のように動作するようにしてもよい。
表示部１００の電源が、オンになれば、まず、通信状態検出部５１１は、一般的な無線通信手段と同様に、アンテナ部１１１が受信する信号を、無線通信ユニット１０２で検知し、無線通信に使用する周波数チャンネルが空いているか否かを確認する。
使用するチャンネルが空いている場合は、前述の無線通信手段の動作説明に記載したように、放送番組受信記録装置２００との通信を開始するが、使用するチャンネルが空いていない場合は  無線通信ユニット１０２内の無線通信制御部１１６から信号制御部１０９に、通信チャンネルが混雑している情報を送出する。
信号制御部１０９は、信号処理部１１０を介して、表示ディスプレイ１０１に、通信チャンネルが混雑している旨を表示し，使用者の新たな操作を待つ。
操作パネル１０６への使用者の操作があれば、操作内容に応じた処理に移行するが、一定時間以上、操作パネル部１０６から使用者の操作が行われない場合、信号制御部１０９は、充電・給電制御部１１５へ、表示部電源ＯＦＦ情報を送出する。
【００３１】
スタンド装着検出部５０７は、表示部１００がスタンド部３００に装着されている／いないを、接触端子１（１１４）から供給される通電の有無で検知し、装着されていれば、スタンド装着検出部５０７は、スタンド部装着情報を、信号制御部１０９へ返送し、使用者の操作待ち状態を維持し、装着されていない状態であれば、充電・給電制御部１１５で電源スイッチ１（１１７）をオフにして、バッテリ１０３から表示部１００全体への電力供給を停止し、バッテリの消耗を低減する。
なお、再起動する場合は、手動で電源スイッチ１（１１７）をオンにして、バッテリ１０３からの電力供給を再開するか、表示部１００をスタンド部３００に装着し、スタンド部３００から表示部１００への電力供給を開始する。
【００３２】
（非接触通信手段の動作説明）
表示部１００からスタンド部３００への非接触通信を行う場合、信号処理部１１０から送られてきた送信データを受けた第１の高速赤外線通信ユニット１０５は、送信データに赤外線通信用の変調をかけた上で、電気信号から赤外線信号に変換して、第２の高速赤外線通信ユニット３０５に向けて送信する。
前記赤外線信号を受信した第２の高速赤外線通信ユニット３０５は、受信した信号を電気信号に変換した上で、復調を行い、信号処理部３０６へ送出する。
【００３３】
スタンド部３００から表示部１００への非接触通信を行う場合、信号処理部３０６から送られてきた送信データを受けた第２の高速赤外線通信ユニット３０５は、送信データに赤外線通信用の変調をかけた上で、電気信号から赤外線信号に変換して、第１の高速赤外線通信ユニット１０５に向けて送信する。
前記赤外線信号を受信した第１の高速赤外線通信ユニット１０５は、受信した信号を電気信号に変換した上で、復調を行い、信号処理部１１０へ送出する。
【００３４】
（機能拡張手段の動作説明）
スタンド部３００には、オプション４００となる機器、例えばカメラ４０１，ディスクドライブ４０２，メモリカードリーダ４０３等の周辺機器、センサ等を接続するオプション接続コネクタ３０８及びＡＶＣ機器４１０を接続するＡＶＣ機器接続コネクタ３０９を有する外部インターフェース３０７を備える。
当ワイヤレスネットワーク端末は、図２に示すように、表示部をスタンド部に装着した状態で、前記のオプションやＡＶＣ機器を活用できる。
【００３５】
前記放送番組受信記録装置２００から送られてきた映像信号を、オプションとして接続した携帯型ディスクドライブ装置４０２に記録する場合を、説明する。
デジタル映像信号は、前記無線通信手段５００から信号処理部１１０へ送出される。信号処理部１１０は、前記映像信号を赤外線通信に適した形式へと変換した上で、第１の高速赤外線通信ユニット１０５へ送出する。第１の高速赤外線通信ユニット１０５へ送出された前記映像信号は、非接触通信手段５０４でスタンド部３００の信号処理部３０６へ送出される。
信号処理部３０６は、前記映像信号をオプションとして接続したディスクドライブ装置４０２で扱えるデータ形式に変換した上で、外部インターフェース３０７へ送出する。外部インターフェース３０７は、携帯型ディスクドライブ装置４０２との間で採用している通信プロトコルに沿って、前記映像信号を、オプション接続コネクタ３０８を介して、携帯型ディスクドライブ装置４０２へ送出する。
携帯型ディスクドライブ装置４０２は送られてきた前記映像信号を装置内のディスクに記録する。
【００３６】
次に、外部インターフェース３０７に接続したデジタルビデオカメラ４１１から出力される映像信号を、前記放送番組受信記録装置２００へ送出する場合を、説明する。
外部インターフェース３０７とデジタルビデオカメラ４１１との間で採用している通信プロトコルに沿って、デジタルビデオカメラ４１１から出力されたデジタル映像信号は、ＡＶＣ機器接続コネクタ３０９を介して、外部インターフェース３０７へ伝送される。
外部インターフェース３０７は、伝送されてきたデータからデジタル映像信号を復調し、信号処理部３０６へ送出する。信号処理部３０６は、前記映像信号を赤外線通信に適した形式へと変換した上で、第２の高速赤外線通信ユニット３０５へ送出する。第２の高速赤外線通信ユニット３０５へ送出された映像信号は、非接触通信手段５０４で表示部１００の信号処理部１１０へ送出される。
信号処理部１１０は、前記映像信号を無線通信に適した形式へと変換した上で、無線通信ユニット１０２へ送出する。無線通信ユニット１０２へ送出された映像信号は、前記無線通信手段５００により、前記放送番組受信記録装置２００へ送信される。
【００３７】
図４は、本発明に係るワイヤレスネットワーク端末の他の実施例の構成を示すブロック図である。なお、図１に示す実施例と、同じ構成要素には、同じ符号を付して、その説明は省略する。
図４における電源制御部５０８は、充電・給電制御部１１５（図１参照）と同じ機能を備えるものである。
図４のワイヤレスネットワーク端末は、大別して、表示部１００と、スタンド部３００とからなり、表示部１００は、表示ユニット５１０と、それ以外の電源及びその制御回路からなる。
【００３８】
また、表示ユニット５１０は、アンテナ部１１１、無線通信ユニット部１０２、信号処理部１１０、表示ディスプレイ１０１、スピーカ１１２、通信状態検出部５１１、信号制御部１０９、及び操作パネル部１０６からなる。
そして、前記表示ユニット５１０以外の電源及びその制御回路は、電源制御部５０８、タイマ５０９、スタンド装着検出部５０７、充電回路１０８、バッテリ１０３、スイッチ１ａ（１１７ａ）、スイッチ１ｂ（１１７ｂ）、電源スイッチ１１７ｃ）、及び接触端子１（１１４）からなる
【００３９】
次に、図４のワイヤレスネットワーク端末の動作について、以下に説明する。
電源制御部５０８には、表示部１００が、スタンド部３００に装着されている／いないにかかわらず、電源回路３０１、またはバッテリ１０３から、常に、その電源が供給されている。
また、表示ユニット５１０には、表示部１００がスタンド部３００に装着されている場合、電源回路３０１、接触端子２（３１２）、接触端子１（１１４）、スイッチ１ａ（１１７ａ）の経路で、電源回路３０１から、その電源が供給され、表示部１００がスタンド部３００に装着されていない場合、バッテリ１０３、スイッチ１ｂ（１１７ｂ）、スイッチ１ａ（１１７ａ）の経路で、バッテリ１０３から、その電源が供給される。
【００４０】
通信状態検出部５１１は、無線通信ユニット部１０２より、無線通信に使用する周波数チャンネルが空いているか否かを検出し、この検出結果を電源制御部５０８に印加する。また、スタンド装着検出部５０７は、接触端子１（１１４）から供給される通電の有無により、表示部１００が、スタンド部３００に装着されているか否かを検出し、この検出結果を電源制御部５０８に印加する。
電源制御部５０８は、タイマ５０９を内蔵し、通信状態検出部５１１及びスタンド装着検出部５０７からのそれぞれの検出結果に基づき、以下のように動作する。
【００４１】
図５は、図４に示すワイヤレスネットワーク端末の電源制御部の処理手順を示すフローチャート図である。
図５を用いて、電源制御部の動作について以下に説明する。
まず、スタンド装着検出部５０７からの検出結果に基づき、表示部１００がスタンド部３００に装着されている否かを判断する（ステップＳ５０１）。
装着されていればステップＳ５０２に進み、スイッチ１ａ（１１７ａ）を電源回路３０１側に切り替えた後、ステップＳ５０１に戻る。
【００４２】
また、装着されていなければ、ステップＳ５０３に進み、スイッチ１ａ（１１７ａ）をバッテリ１０３側に切り替え、スイッチ１ｂ（１１７ｂ）を、ＯＮ（ステップＳ５０４）した後、ステップＳ５０５に進む。
ステップＳ５０５において、通信状態検出部５１１からの検出結果に基づき、無線通信に使用する周波数チャンネルが空いているか否か、即ち、通信状態が良好か否かを判断する。
通信状態が良好であれば、ステップＳ５０１に戻る。
【００４３】
また、通信状態が不良であれば、信号制御部１０９と信号処理部１１０を介して、表示ディスプレイ１０１及びスピーカ１１２より通信状態不良を使用者に告知（ステップＳ５０６）した後、ステップＳ５０７に進む。
ステップＳ５０７において、操作パネル１０６から信号制御部１０９を介して、使用者により操作されたか否かを判断する。
操作されたならば、操作された内容の処理（ステップＳ５０８）を行った後、ステップＳ５０１に戻る。
【００４４】
また、操作されていないならば、タイマ５０９を、インクリメント（ｔ←ｔ＋１）（ステップＳ５０９）した後、ステップＳ５１０に進む。
ステップＳ５１０において、時間Ｔが経過したか否か（ｔ≧Ｔ？）を判断する。
時間Ｔが経過していなければ、ステップＳ５０７に戻る。
また、時間Ｔが経過していれば、スイッチ１ｂ（１１７ｂ）をオフ（ステップＳ５１１）した後、ステップＳ５１２に移行する。
ステップＳ５１２において、電源スイッチ１１７ｃが、押されたか否かを判断する。
電源スイッチ１１７ｃが押されたならば、ステップＳ５０１に戻る。
また、押されていなければ、ステップＳ５１３に進む。
ステップＳ５１３において、スタンド装着検出部５０７からの検出結果に基づき、表示部１００がスタンド部３００に装着されているか否かを再度判断する。
【００４５】
装着されていれば、ステップＳ５０２に戻り、装着されていなければ、ステップＳ５１２に戻る。
上述の通り、表示部１００がスタンド部３００に、装着されている場合、ステップＳ５０１→ステップＳ５０２→ステップＳ５０１の経路で、通信状態の良否にかかわらず、常に、表示ユニット５１０には、電源回路３０１より電源が供給される。
また、表示部１００がスタンド部３００に装着されていない場合、ステップＳ５０１→ステップＳ５０３〜Ｓ５０５→ステップＳ５０１の経路で、通信状態が良好なときのみ、表示ユニット５１０には、バッテリ１０３より電源が供給され、通信状態不良なときは、ステップＳ５０１→ステップＳ５０３〜Ｓ５１２→ステップＳ５０１、または、ステップＳ５０１→ステップＳ５０３〜Ｓ５１３→Ｓ５０２の経路で、表示ユニット５１０には、電源が供給されないように動作する。
【００４６】
図６は、本発明に係るワイヤレスネットワーク端末のその他の実施例の構成を示すブロック図である。
図６は、図４に示す実施例の構成と比較して、表示部１００において、入力選択制御部１２０，入力選択スイッチ部１２１，接触端子３（１２２）及び強制選択スイッチ部１２３が追加され、さらに、スタンド部３００にパ−ソナルコンピュータ装置本体６００が接続されるようになっており、スタンド部３００に、そのための信号処理部３２０，接触端子４（３２１）を備えている点が異なる。
図６において、図４に示す実施例と、同じ構成要素には、同じ符号を付して、その説明は省略する。
【００４７】
パーソナルコンピュータ装置本体６００は、スタンド部３００の信号処理部３２０の入力側に接続され、信号処理部３２０の出力側は、接触端子４（３２１）及び接触端子３（１２２）を介して、表示部１００内の入力選択スイッチ部１２１の一方の入力側１２１ｂ、１２１ｄに接続されている。
表示部１００において、信号処理部１１０の出力は、入力選択スイッチ部１２１の他方の入力側１２１ａ，１２１ｃに接続されている。
そして、入力選択スイッチ部１２１の一方の出力側１２１ｆは、スピーカ１１２に接続され、入力選択スイッチ部１２１の他方の出力側１２１ｅは、表示ディスプレイ１０１に接続されている。
また、スタンド装着検出部５０７が、入力選択制御部１２０の入力側に接続され、入力選択制御部１２０の出力側は、入力選択スイッチ部１２１に接続されている。
そして、入力選択制御部１２０には、強制選択スイッチ部１２３が接続されている。
【００４８】
次に、図６に示すワイヤレスネットワーク端末の各ブロックの動作について説明する。
スタンド部３００の信号処理部３２０は、パーソナルコンピュータ装置本体６００から入力されたモニター信号を、第２の映像信号Ｐ２及び第２の音声信号Ｓ２とに変換する。
第２の映像信号Ｐ２は、接触端子４（３２１）及び接触端子３（１２２）を介して、表示部１００の入力選択スイッチ部１２１の入力１２１ｂに入力され、第２の音声信号Ｓ２は、接触端子４（３２１）及び接触端子３（１２２）を介して、表示部１００の入力選択スイッチ部１２１の入力側１２１ｄに入力されている。
表示部１００において、信号処理部１１０から出力された第１の映像信号Ｐ１は、入力選択スイッチ部１２１の入力側１２１ａに入力され、信号処理部１１０から出力された第１の音声信号Ｓ１は、入力選択スイッチ部１２１の入力側１２１ｃに入力されている。
【００４９】
入力選択スイッチ部１２１は、信号処理部１１０から出力された第１の映像信号Ｐ１（入力側１２１ａ）、または信号処理部３２０から出力された第２の映像信号Ｐ２（入力側１２１ｂ）のいずれか一方を選択して出力（出力側１２１ｅ）し、信号処理部１１０から出力された第１の音声信号Ｓ１（入力側１２１ｃ）、または信号処理部３２０から出力された第２の音声信号Ｓ２（入力側１２１ｄ）のいずれか一方を選択して出力（出力側１２１ｆ）する。
そして、入力選択スイッチ部１２１により選択出力された映像信号は、表示ディスプレイ１０１に入力され画像表示され、入力選択スイッチ部１２１により選択された音声信号は、スピーカ１１２に入力され音声として出力される。
また、スタンド装着検出部５０７は、表示部１００が、スタンド部３００に装着されているか否かを検出し、この検出結果を、入力選択制御部１２０に出力する。
【００５０】
入力選択制御部１２０は、スタンド装着検出部５０７から入力された前記検出結果に基づき、表示部１００がスタンド部３００に装着されていない場合には、第１の映像信号Ｐ１及び第１の音声信号Ｓ１を選択し、表示部１００がスタンド部３００に装着されている場合には、第２の映像信号Ｐ２及び第２の音声信号Ｓ２を選択するように入力選択スイッチ部１２１を制御する。
また、入力選択制御部１２０は、強制選択スイッチ部１２３がオンした場合には、表示部１００がスタンド部３００に装着されているいないに関わらず、強制的に、第１の映像信号Ｐ１及び第１の音声信号Ｓ１を選択するように、入力選択スイッチ部１２１を制御する。
【００５１】
図７は、図６に示すワイヤレスネットワーク端末の入力選択制御部の処理手順を示すフローチャート図である。
図７を参照して、入力選択制御部の動作について説明する。
入力選択制御部１２０は、例えば、マイクロコンピュータで構成されるが、以下、マイクロコンピュータで構成された場合における入力選択制御部１２０の動作について説明する。
まず、ステップＳ７０１において、強制選択スイッチ部１２３が、オンしているか否かをチェックする。
強制選択スイッチ部１２３がオンしていれば、ステップＳ７０３に移行し、オンしていなければ、ステップＳ７０２に進む。
【００５２】
ステップＳ７０２では、表示部１００がスタンド部３００に装着されているか否かをチェックし、表示部１００がスタンド部３００に装着されていれば、ステップＳ７０４に移行し、表示部１００がスタンド部３００に装着されていなければ、ステップＳ７０３に進む。
ステップＳ７０３では、入力選択スイッチ部１２１を、無線通信ユニット１０２側へ切り替える。すなわち、信号処理部１１０からの第１の映像信号Ｐ１及び第１の音声信号Ｓ１を選択するように制御し、ステップＳ７０１に戻る。
また、ステップＳ７０４では、入力選択スイッチ部１２１を、パーソナルコンピュータ装置本体６００側へ切り替える。すなわち、信号処理部３２０からの第２の映像信号Ｐ２及び第２の音声信号Ｓ２を選択するように制御し、ステップＳ７０１に戻る。
【００５３】
このように、表示部１００が、スタンド部３００に装着されている場合に、表示部１００は、パーソナルコンピュータ装置本体６００のモニターの機能を果たし、表示部１００をスタンド部３００から取り外せば、表示部１００は、前記放送番組の受信及び記録装置から無線で送られてきた画像を表示する、例えば、無線テレビの機能を果たすものである。
【００５４】
【発明の効果】
以上のように、本発明に係るワイヤレスネットワーク端末によれば、表示部とスタンド部間の物理的なつながりを接触のみで行っているため、表示部のスタンド部への取付け／取外しが実現可能である。
したがって、放送番組受信記録装置と、表示部との無線接続が保持される環境において、表示部をワイヤレスネットワーク端末とした放送，記録画像の視聴、インターネットアクセス等のサービスを、情報・電源の配線に囚われること無く、任意の場所で利用可能とする効果が得られる。
【００５５】
また、本発明に係るワイヤレスネットワーク端末によれば、表示部をスタンド部から取り外している状態において、スタンド部での電力消費を完全にゼロとする効果並びに無線通信が確立できない揚合の表示ユニットでの電力消費を完全にゼロとする効果が得られる。
【００５６】
また、本発明に係るワイヤレスネットワーク端末によれば、表示部の可搬性を損なうこと無く、スタンド部の外部インターフェースに接続したオプション、例えば、カメラ，ディスクドライブ，メモリカードリーダ等の周辺機器、センサ等をワイヤレスネットワークシステムのオプションとして利用することができる。
【００５７】
さらに、本発明に係るワイヤレスネットワーク端末によれば、スタンド部にパーソナルコンピュータ装置本体を接続可能とし、表示部に、放送番組受信記録装置から無線で送られてきた画像を表示する装置と、前記パーソナルコンピュータ装置本体のモニター装置との２つの機能を実現させることができる。
さらに、前記２つの機能を、表示部がスタンド部に装着されているか否かで自動的に切り替わるようにすることにより、切り替える手間が省け、使い勝手を向上することができる。
【００５８】
また、本発明に係るワイヤレスネットワーク端末によれば、表示部が、強制的に、放送番組受信記録装置から無線で送られてきた映像信号及び音声信号を選択するための強制選択スイッチ部を備えることにより、前記自動切り替えの便利さに加えて、表示部がスタンド部に装着され、パーソナルコンピュータ装置本体を操作中においても必要とする場合に、前記放送番組受信記録装置から無線で送られてきた画像を表示し、その内容を確認することができる。
【図面の簡単な説明】
【図１】本発明に係るワイヤレスネットワーク端末のシステム全体の構成の一実施例を示すブロック図である。
【図２】表示部をスタンド部に装着した状態の本発明に係るワイヤレスネットワーク端末の外観図である。
【図３】表示部をスタンド部から取り外した状態の本発明に係るワイヤレスネットワーク端末の外観図である。
【図４】本発明に係るワイヤレスネットワーク端末の他の実施例の構成を示すブロック図である。
【図５】図４に示すワイヤレスネットワーク端末の電源制御部の処理手順を示すフローチャート図である。
【図６】本発明に係るワイヤレスネットワーク端末のその他の実施例の構成を示すブロック図である。
【図７】図６に示すワイヤレスネットワーク端末の入力選択制御部の処理手順を示すフローチャート図である。
【符号の説明】
１００…表示部、１０１…表示ディスプレイ、１０２…無線通信ユニット、１０３…バッテリ、１０４…第１の充電・給電用装置、１０５…第１の高速赤外線通信ユニット、１０６…操作パネル部、１０７…給電回路、１０８…充電回路、１０９…信号制御部、１１０…信号処理部、１１１…アンテナ部、１１２…スピーカ、１１３…バッテリ残量計、１１４…接触端子１、１１５…充電・給電制御部、１１６…無線通信制御部、１１７…電源スイッチ１、１１７ａ…スイッチ１ａ、１１７ｂ…スイッチ１ｂ、１１７ｃ…電源スイッチ、１２０…入力選択制御部、１２１…入力選択スイッチ部、１２２…接触端子３、１２３…強制選択スイッチ部、２００…放送番組受信記録装置、２０１…無線通信ユニット、２０２…アンテナ部、３００…スタンド部、３０１…電源回路、３０２…表示部検出スイッチ、３０３…電源回路制御部、３０４…第２の充電・給電用装置、３０５…第２の高速赤外線通信ユニット、３０６…信号処理部、３０７…外部インターフェース、３０８…オプション接続コネクタ、３０９…ＡＶＣ機器接続コネクタ、３１０…電源プラグ、３１１…電源スイッチ２、３１２…接触端子２、３１３…電源ライン、３２０…信号処理部、３２１…接触端子４、４００…オプション、４０１…カメラ、４０２…ディスクドライブ、４０３…メモリカードリーダ、４１０…ＡＶＣ機器、４１１…デジタルビデオカメラ、５００…無線通信手段、５０１…再生出力手段、５０２…充電・給電手段、５０３…電源ＯＮ／ＯＦＦ手段、５０４…非接触通信手段、５０５…機能拡張手段、５０６…電源ＯＦＦ手段、５０７…スタンド装着検出部、５０８…電源制御部、５０９…タイマ、５１０…表示ユニット、５１１…通信状態検出部、６００…パーソナルコンピュータ装置本体。
【図１】
0003789322.tif 000002
【図２】
0003789322.tif 000003
【図３】
0003789322.tif 000004
【図４】
0003789322.tif 000005
【図５】
0003789322.tif 000006
【図６】
0003789322.tif 000007
【図７】
0003789322.tif 000008